(57)【要約】      （修正有）【課題】職場等の環境に適した健康維持・増進剤、及び健康維持・増進剤を簡便な手段により送出する健康維持・増進剤販売機を提供する。【解決手段】健康維持・増進剤収容体１０は、包装体収容容器と、該包装体収容容器に収容された包装体とを備え、包装体は、包装容器と、包装容器に収納された健康維持・増進剤とを有し、健康維持・増進剤の収納量は成人１回分の服用量である。また、健康維持・増進剤販売機は、健康維持・増進剤収容体が収納された商品収納部と、一端側が商品収納部に接続された商品送出口と、コイン投入口と、規定のコインが投入された場合に操作可能となる操作具と、操作具を操作することにより健康維持・増進剤収容体を送出する送出手段とを備える。【選択図】図１
0003113693.tif 000002
【実用新案登録請求の範囲】
【請求項１】
包装体収容容器と、該包装体収容容器に収容された包装体とを備え、該包装体は、包装容器と、該包装容器に収納された健康維持・増進剤とを有し、該健康維持・増進剤の収納量は成人１回分の服用量であることを特徴とする健康維持・増進剤収容体。
【請求項２】
上記包装容器に、異なる栄養素を含有する２種以上の健康維持・増進剤が収納されている請求項１に記載の健康維持・増進剤収容体。
【請求項３】
上記包装容器に少なくとも１本のミシン目が設けられ、２個以上の容器部に分割可能とされており、各々の容器部にそれぞれ異なる栄養素を含有する健康維持・増進剤が収納されている請求項１に記載の健康維持・増進剤収容体。
【請求項４】
上記健康維持・増進剤が栄養補助食品である請求項１乃至３のうちのいずれか１項に記載の健康維持・増進剤収容体。
【請求項５】
上記健康維持・増進剤が、錠剤状、カプセル状又は粉末状である請求項１乃至４のうちのいずれか１項に記載の健康維持・増進剤収容体。
【請求項６】
上記栄養素は、Ｃａ、Ｍｇ、Ｚｎ、Ｆｅ、Ｎａ、Ｋ、Ｃｒ、Ｐ、Ｓｅ、Ｍｏ、Ｍｎ、Ｃｕ及びＩのうちの少なくとも１種のミネラル分、ビタミンＡ、ビタミンＢ群、ビタミンＣ、ビタミンＤ、ビタミンＥ、ビタミンＫ、ビタミンＰ及びビタミンＱのうちの少なくとも１種のビタミン、並びにエイコサペンタエン酸、ドコサヘキサエン酸、α−リポ酸、コンドロイチン、ヒアルロン酸、グルコサミン酸、プロテイン、コラーゲン、Ｌ−カルミチンのうちの少なくとも１種である請求項２乃至５のうちのいずれか１項に記載の健康維持・増進剤収容体。
【請求項７】
上記包装容器に複数の健康維持・増進剤が収納されており、各々の健康維持・増進剤にそれぞれ含有される栄養素は、ビタミンＢ１とビタミンＣとミネラル分であるＺｎ、ビタミンＢ群とビタミンＣとミネラル分であるＺｎ、ビタミンＢ１とエイコサペンタエン酸とドコサヘキサエン酸、ビタミンＢ群とエイコサペンタエン酸とドコサヘキサエン酸、ビタミンＡとビタミンＢ群とビタミンＣ、ビタミンＢ１とビタミンＥ、ビタミンＢ群とビタミンＥ、ビタミンＢ１とビタミンＣとビタミンＥ、ビタミンＢ群とビタミンＣとビタミンＥ、ビタミンＱとヒアルロン酸、又はビタミンＱとヒアルロン酸とコラーゲン、の組み合わせである請求項２乃至５のうちのいずれか１項に記載の健康維持・増進剤収容体。
【請求項８】
上記包装体収容容器が嵌合型球形である請求項１乃至７のうちのいずれか１項に記載の健康維持・増進剤収容体。
【請求項９】
上記包装体収容容器が嵌合型円筒形又は開口側に蓋体が取着された円筒形である請求項１乃至７のうちのいずれか１項に記載の健康維持・増進剤収容体。
【請求項１０】
上記包装体収容容器が開口側に蓋体が取着された平板形である請求項１乃至７のうちのいずれか１項に記載の健康維持・増進剤収容体。
【請求項１１】
上記包装体収容容器は、複数の円筒形の容器が軸方向に積層され、且つ開口側に蓋体が取着されて一体とされたものである請求項１乃至７のうちのいずれか１項に記載の健康維持・増進剤収容体。
【請求項１２】
上記包装体収容容器の表面及び/又は内面に、上記健康維持・増進剤に関する情報が記載されている請求項１乃至１１のうちのいずれか１項に記載の健康維持・増進剤収容体。
【請求項１３】
上記包装体収容容器に、上記健康維持・増進剤に関する情報が記載された文書が収納されている請求項１乃至１１のうちのいずれか１項に記載の健康維持・増進剤収容体。
【請求項１４】
上記包装体収容容器の表面及び/又は内面に、上記健康維持・増進剤に含有される栄養素の天然食品での換算量、上記健康維持・増進剤の摂取時期、健康維持・増進に関する一般的な知識及び健康維持・増進に関する一口メモのうちの少なくとも１種の情報が記載されている請求項１乃至１１のうちのいずれか１項に記載の健康維持・増進剤収容体。
【請求項１５】
上記包装体収容容器に、上記健康維持・増進剤に含有される栄養素の天然食品での換算量、上記健康維持・増進剤の摂取時期、健康維持・増進に関する一般的な知識及び健康維持・増進に関する一口メモのうちの少なくとも１種の情報が記載された文書が収納されている請求項１乃至１１のうちのいずれか１項に記載の健康維持・増進剤収容体。
【請求項１６】
請求項１乃至１５のうちのいずれか１項に記載の健康維持・増進剤収容体が収納された商品収納部と、一端側が該商品収納部に接続された商品送出口と、コイン投入口と、規定のコインが該コイン投入口に投入された場合に操作可能となる操作具と、該操作具を操作することにより該健康維持・増進剤収容体を送出する送出手段と、を備えることを特徴とする健康維持・増進剤販売機。
【請求項１７】
飲料水供給手段が別体として配置されている請求項１６に記載の健康維持・増進剤販売機。
【請求項１８】
飲料水供給手段が一体に併設されている請求項１６に記載の健康維持・増進剤販売機。
【請求項１９】
請求項１６に記載の健康維持・増進剤販売機であって、
該健康維持・増進剤収容体は、上記健康維持・増進剤に含有される栄養素の天然食品での換算量、上記健康維持・増進剤の摂取時期、上記健康維持・増進に関する一般的な知識及び上記健康維持・増進に関する一口メモのうちの少なくとも１種の情報が記載された文書が収納された包装体収容容器と、該包装体収容容器に収容された包装体とを備え、
該包装体は、包装容器と、該包装容器に収納された健康維持・増進剤とを有し、該包装容器には少なくとも１本のミシン目が設けられ、２個以上の容器部に分割可能とされており、各々の容器部に、Ｃａ、Ｍｇ、Ｚｎ、Ｆｅ、Ｎａ、Ｋ、Ｃｒ、Ｐ、Ｓｅ、Ｍｏ、Ｍｎ、Ｃｕ及びＩのうちの少なくとも１種のミネラル分、ビタミンＡ、ビタミンＢ群、ビタミンＣ、ビタミンＤ、ビタミンＥ、ビタミンＫ、ビタミンＰ及びビタミンＱのうちの少なくとも１種のビタミン、並びにエイコサペンタエン酸、ドコサヘキサエン酸、α−リポ酸、コンドロイチン、ヒアルロン酸、グルコサミン酸、プロテイン、コラーゲン、Ｌ−カルミチンのうちの少なくとも１種の栄養素が含有された健康維持・増進剤が収納されている健康維持・増進剤販売機。
【請求項２０】
上記包装容器に複数の健康維持・増進剤が収納されており、各々の健康維持・増進剤にそれぞれ含有される栄養素は、ビタミンＢ１とビタミンＣとミネラル分であるＺｎ、ビタミンＢ群とビタミンＣとミネラル分であるＺｎ、ビタミンＢ１とエイコサペンタエン酸とドコサヘキサエン酸、ビタミンＢ群とエイコサペンタエン酸とドコサヘキサエン酸、ビタミンＡとビタミンＢ群とビタミンＣ、ビタミンＢ１とビタミンＥ、ビタミンＢ群とビタミンＥ、ビタミンＢ１とビタミンＣとビタミンＥ、ビタミンＢ群とビタミンＣとビタミンＥ、ビタミンＱとヒアルロン酸、又はビタミンＱとヒアルロン酸とコラーゲン、の組み合わせである請求項１９に記載の健康維持・増進剤販売機。
【請求項２１】
飲料水供給手段が別体として配置されている請求項２０に記載の健康維持・増進剤販売機。
【請求項２２】
飲料水供給手段が一体に併設されている請求項２０に記載の健康維持・増進剤販売機。
【請求項２３】
設置場所が、工場、事務所、各種学校、学習塾、レジャー施設、官公庁、公共施設、駅構内、スポーツクラブ又はホテルである請求項１９乃至２２のうちのいずれか１項に記載の健康維持・増進剤販売機。
【請求項２４】
上記設置場所が、工場、事務所、各種学校、学習塾、レジャー施設、官公庁又は公共施設である請求項２３に記載の健康維持・増進剤販売機。
【考案の詳細な説明】
【技術分野】
【０００１】
本考案は、健康維持・増進剤収容体及び健康維持・増進剤販売機に関する。更に詳しくは、本考案は、収納量が成人１回分の服用量である健康維持・増進剤収容体及びこの健康維持・増進剤収容体を送出し、販売するための健康維持・増進剤販売機に関する。
【背景技術】
【０００２】
栄養補助食品、健康食品又は医薬部外品等の健康維持・増進剤は、例えば、１週間分、１０日分、１月分、又はそれ以上が、プラスチック製袋又は瓶等の容器に収納されており、服用に際し、消費者自らが必要分を小分けして使用するのが通常である。
また、健康維持・増進剤は、店頭販売が中心であり、一般消費者は、小売店、スーパーマーケットなどで購入することが多い。例えば、薬店等の専門店へ出向けば、知識のない消費者にとって、薬剤師等の専門家と相談して自己に適合した栄養補助食品等の健康維持・増進剤を購入することができるという利点がある。
一方、カプセル自販機のカプセル内に健康食品を入れ、この自販機により健康食品を販売することも知られている（例えば、特許文献１参照）。
【０００３】
【特許文献１】特開２００３−６７８２６号公報
【考案の開示】
【考案が解決しようとする課題】
【０００４】
健康維持・増進剤を服用するに際し、通常、多量の健康維持・増進剤の収納された１個の容器から１回分の服用量を小分けして使用する。そのため、１個の容器が大きなものとなり、持ち運び及び収納に不便である。更に、出先等で、１回分又は１日分のみ必要となったときでも多量の健康維持・増進剤の収納された容器を購入しなければならない。
また、複数回に小分けして使用することから、長期間保存することになるため、消費期限内に服用しきることができない場合も生ずる。
ここで、職場等の環境によって必要な栄養素が異なるという実情がある。例えば、肉体労働であれば、筋肉疲労を緩和するための栄養素の補給が必要であり、頭脳労働であれば脳の疲労を回復する栄養素の補給が必要となる。
【０００５】
従って、職場環境等によって必要とされる種類の栄養素を備えた健康維持・増進剤の提供が要請される。更に、職場のニーズに応じた健康維持・増進剤を提供することができれば福利厚生面でも好ましいことである。
このような場合、健康維持・増進剤を店頭販売に頼っていたのでは、消費者である従業者等は店舗まで出向かなければならないという煩わしさがある。また、私的な理由等から、人目に付かずに購入したいという要請もある。
また、職場等で対面販売するのも、販売員が必要となり、人件費がかかる。一方、健康維持・増進剤を安心して購入するための情報がほしいという要請もある。
そこで、職場等の環境に応じて必要とされる健康維持・増進剤を安心して購入できる簡易、且つ便利な提供手段が必要とされる。
また、特許文献１に記載の販売方法及び装置によれば、薬店等の専門店へ出向くことなく購入できるため便利である。しかし、販売される個々の容器に収納されている健康食品の収納量等については何ら言及されていない。
【０００６】
本考案は、上記実情に鑑みてなされたものであって、職場等の環境に適した、健康維持・増進剤、及びこの健康維持・増進剤を簡便な手段により送出し、販売する健康維持・増進剤販売機を提供することを解決すべき課題とする。
【課題を解決するための手段】
【０００７】
本考案は、以下のとおりである。
１．包装体収容容器と、該包装体収容容器に収容された包装体とを備え、該包装体は、包装容器と、該包装容器に収納された健康維持・増進剤とを有し、該健康維持・増進剤の収納量は成人１回分の服用量であることを特徴とする健康維持・増進剤収容体。
２．上記包装容器に、異なる栄養素を含有する２種以上の健康維持・増進剤が収納されている上記１．に記載の健康維持・増進剤収容体。
３．上記包装容器に少なくとも１本のミシン目が設けられ、２個以上の容器部に分割可能とされており、各々の容器部にそれぞれ異なる栄養素を含有する健康維持・増進剤が収納されている上記１．記載の健康維持・増進剤収容体。
４．上記健康維持・増進剤が栄養補助食品である上記１．乃至３．のうちのいずれか１項に記載の健康維持・増進剤収容体。
５．上記健康維持・増進剤が、錠剤状、カプセル状又は粉末状である上記１．乃至４．のうちのいずれか１項に記載の健康維持・増進剤収容体。
６．上記栄養素は、Ｃａ、Ｍｇ、Ｚｎ、Ｆｅ、Ｎａ、Ｋ、Ｃｒ、Ｐ、Ｓｅ、Ｍｏ、Ｍｎ、Ｃｕ及びＩのうちの少なくとも１種のミネラル分、ビタミンＡ、ビタミンＢ群、ビタミンＣ、ビタミンＤ、ビタミンＥ、ビタミンＫ、ビタミンＰ及びビタミンＱのうちの少なくとも１種のビタミン、並びにエイコサペンタエン酸、ドコサヘキサエン酸、α−リポ酸、コンドロイチン、ヒアルロン酸、グルコサミン酸、プロテイン、コラーゲン、Ｌ−カルミチンのうちの少なくとも１種である上記２．乃至５．のうちのいずれか１項に記載の健康維持・増進剤収容体。
７．上記包装容器に複数の健康維持・増進剤が収納されており、各々の健康維持・増進剤にそれぞれ含有される栄養素は、ビタミンＢ１とビタミンＣとミネラル分であるＺｎ、ビタミンＢ群とビタミンＣとミネラル分であるＺｎ、ビタミンＢ１とエイコサペンタエン酸とドコサヘキサエン酸、ビタミンＢ群とエイコサペンタエン酸とドコサヘキサエン酸、ビタミンＡとビタミンＢ群とビタミンＣ、ビタミンＢ１とビタミンＥ、ビタミンＢ群とビタミンＥ、ビタミンＢ１とビタミンＣとビタミンＥ、ビタミンＢ群とビタミンＣとビタミンＥ、ビタミンＱとヒアルロン酸、又はビタミンＱとヒアルロン酸とコラーゲン、の組み合わせである上記２．乃至５．のうちのいずれか１項に記載の健康維持・増進剤収容体。
８．上記包装体収容容器が嵌合型球形である上記１．乃至７．のうちのいずれか１項に記載の健康維持・増進剤収容体。
９．上記包装体収容容器が嵌合型円筒形又は開口側に蓋体が取着された円筒形である上記１．乃至７．のうちのいずれか１項に記載の健康維持・増進剤収容体。
１０．上記包装体収容容器が開口側に蓋体が取着された平板形である上記１．乃至７．のうちのいずれか１項に記載の健康維持・増進剤収容体。
１１．上記包装体収容容器は、複数の円筒形の容器が軸方向に積層され、且つ開口側に蓋体が取着されて一体とされたものである上記１．乃至７．のうちのいずれか１項に記載の健康維持・増進剤収容体。
１２．上記包装体収容容器の表面及び/又は内面に、上記健康維持・増進剤に関する情報が記載されている上記１．乃至１１．のうちのいずれか１項に記載の健康維持・増進剤収容体。
１３．上記包装体収容容器に、上記健康維持・増進剤に関する情報が記載された文書が収納されている上記１．乃至１１．のうちのいずれか１項に記載の健康維持・増進剤収容体。
１４．上記包装体収容容器の表面及び/又は内面に、上記健康維持・増進剤に含有される栄養素の天然食品での換算量、上記健康維持・増進剤の摂取時期、健康維持・増進に関する一般的な知識及び健康維持・増進に関する一口メモのうちの少なくとも１種の情報が記載されている上記１．乃至１１．のうちのいずれか１項に記載の健康維持・増進剤収容体。
１５．上記包装体収容容器に、上記健康維持・増進剤に含有される栄養素の天然食品での換算量、上記健康維持・増進剤の摂取時期、健康維持・増進に関する一般的な知識及び健康維持・増進に関する一口メモのうちの少なくとも１種の情報が記載された文書が収納されている上記１．乃至１１．のうちのいずれか１項に記載の健康維持・増進剤収容体。
１６．上記１．乃至１５．うちのいずれか１項に記載の健康維持・増進剤収容体が収納された商品収納部と、一端側が該商品収納部に接続された商品送出口と、コイン投入口と、規定のコインが該コイン投入口に投入された場合に操作可能となる操作具と、該操作具を操作することにより該健康維持・増進剤収容体を送出する送出手段と、を備えることを特徴とする健康維持・増進剤販売機。
１７．飲料水供給手段が別体として配置されている上記１６．に記載の健康維持・増進剤販売機。
１８．飲料水供給手段が一体に併設されている上記１６．に記載の健康維持・増進剤販売機。
１９．上記１６．に記載の健康維持・増進剤販売機であって、該健康維持・増進剤収容体は、上記健康維持・増進剤に含有される栄養素の天然食品での換算量、上記健康維持・増進剤の摂取時期、上記健康維持・増進に関する一般的な知識及び上記健康維持・増進に関する一口メモのうちの少なくとも１種の情報が記載された文書が収納された包装体収容容器と、該包装体収容容器に収容された包装体とを備え、該包装体は、包装容器と、該包装容器に収納された健康維持・増進剤とを有し、該包装容器には少なくとも１本のミシン目が設けられ、２個以上の容器部に分割可能とされており、各々の容器部に、Ｃａ、Ｍｇ、Ｚｎ、Ｆｅ、Ｎａ、Ｋ、Ｃｒ、Ｐ、Ｓｅ、Ｍｏ、Ｍｎ、Ｃｕ及びＩのうちの少なくとも１種のミネラル分、ビタミンＡ、ビタミンＢ群、ビタミンＣ、ビタミンＤ、ビタミンＥ、ビタミンＫ、ビタミンＰ及びビタミンＱのうちの少なくとも１種のビタミン、並びにエイコサペンタエン酸、ドコサヘキサエン酸、α−リポ酸、コンドロイチン、ヒアルロン酸、グルコサミン酸、プロテイン、コラーゲン、Ｌ−カルミチンのうちの少なくとも１種の栄養素が含有された健康維持・増進剤が収納されている健康維持・増進剤販売機。
２０．上記包装容器に複数の健康維持・増進剤が収納されており、各々の健康維持・増進剤にそれぞれ含有される栄養素は、ビタミンＢ１とビタミンＣとミネラル分であるＺｎ、ビタミンＢ群とビタミンＣとミネラル分であるＺｎ、ビタミンＢ１とエイコサペンタエン酸とドコサヘキサエン酸、ビタミンＢ群とエイコサペンタエン酸とドコサヘキサエン酸、ビタミンＡとビタミンＢ群とビタミンＣ、ビタミンＢ１とビタミンＥ、ビタミンＢ群とビタミンＥ、ビタミンＢ１とビタミンＣとビタミンＥ、ビタミンＢ群とビタミンＣとビタミンＥ、ビタミンＱとヒアルロン酸、又はビタミンＱとヒアルロン酸とコラーゲン、の組み合わせである上記１９．記載の健康維持・増進剤販売機。
２１．飲料水供給手段が別体として配置されている上記２０．に記載の健康維持・増進剤販売機。
２２．飲料水供給手段が一体に併設されている上記２０．に記載の健康維持・増進剤販売機。
２３．設置場所が、工場、事務所、各種学校、学習塾、レジャー施設、官公庁、公共施設、駅構内、スポーツクラブ又はホテルである上記１９．乃至２２．のうちのいずれか１項に記載の健康維持・増進剤販売機。
２４．上記設置場所が、工場、事務所、各種学校、学習塾、レジャー施設、官公庁又は公共施設である上記２３．に記載の健康維持・増進剤販売機。
【考案の効果】
【０００８】
本考案に係る健康維持・増進剤収容体は、健康維持・増進剤の収納量が成人１回分の服用量であるため、１個の容器が小さなものであり、持ち運び及び収納に便利である。また、出先等で１回分及び／又は１日分のみ必要となった場合、所要量を購入することができる。
また、長期間保存することもないため、消費期限内に服用しきることができる。
包装容器には、異なる栄養素を含有する２種以上の健康維持・増進剤が、例えば、錠剤、カプセル等の形態で収納されていてもよく、１日のうち、朝夜の２回又は朝昼夜の３回の服用のための一日分を収納することができる。
更に、包装容器に少なくとも１本のミシン目を設け、２個以上の容器部に分割可能とすることにより、各々の容器部にそれぞれ異なる栄養素を含有する健康維持・増進剤を、収納することもでき、このようにすれば、保管し易く、また、使用に際しても切り離しが容易である。
ここで、補給すべき栄養素はＣａ、Ｚｎ、Ｆｅ等のミネラル分、ビタミンＡ、ビタミンＢ群、ビタミンＣ、ビタミンＤ及びビタミンＥ等のビタミンなどであることが好ましい。これらは人体にとって特に不可欠な栄養素だからである。
また、本考案では、健康維持・増進剤のうちの、特に、栄養補助食品を提供するものであり、これらは職場環境等に依存する種類の特定の栄養素を効果的に補給するものであるからである。
【０００９】
包装体収容容器は、嵌合型球形であることが好ましく、嵌合型球形であれば特に簡易な構造の販売機で容易に包装体収容容器を送出することができる。
更に、包装体収容容器は、嵌合型円筒形、開口側に蓋体が取着された円筒形、開口側に蓋体が取着された平板形、又は複数の円筒形の容器が軸方向に積層され、且つ開口側に蓋体が取着されて一体とされたものとすることもでき、これらの包装体収容容器であれば、特に、複数の円筒形の容器が軸方向に積層された包装体収容容器であれば、健康維持・増進剤を服用後、空容器を小物入れ及びカードケース等として再利用することもできる。
【００１０】
更に、包装体収容容器の表面及び／又は内面に、健康維持・増進剤に関する情報が記載されていることが好ましく、容器中に、情報を記載した文書が収納されていることがより好ましい。このようにすれば、健康維持・増進剤に関して対面販売において得られると同様の情報が得られ、安心して服用することができる。
また、これらの情報は、健康維持・増進剤に含有される栄養素の、天然食品での換算量、健康維持・増進剤の摂取時期、健康維持・増進に関する一般的な知識及び健康維持・増進に関する一口メモのうちの少なくとも１種の情報とすることができ、これらの情報により、より幅広く健康維持・増進剤及び健康維持・増進に関する知識を提供することができる。更に、他の健康維持・増進剤の宣伝広告とすることもできる。また、意外な情報であって有益な情報が記載されていれば、購入者の楽しみともなる。
【００１１】
本考案の健康維持・増進剤販売機は、健康維持・増進剤収容体が収納された商品収納部と、一端側が商品収納部に接続された商品送出口と、コイン投入口と、規定のコインがコイン投入口に投入された場合に操作可能となる操作具と、操作具を操作することにより健康維持・増進剤収容体を送出する送出手段と、を備えているため、規定のコインの投入と、操作具を操作することにより健康維持・増進剤が容易に送出される。従って、消費者は店舗まで出向くことなく簡便に健康維持・増進剤を購入することができる。
そして、例えば、職場ごとに、職場等の環境に適した、職場健康維持・増進剤を提供する販売機を設置することができ、販売員も不要であるため、人件費を節約することもできる。
また、この販売機は電動式でも手動式でもよいが、手動式である場合、電気を必要とせず、且つ極めて簡易な構造であるため、保守、点検の費用も抑えることができる。
【００１２】
本考案の健康維持・増進剤販売機には、飲料水供給手段が別体として配置されている、又は一体に併設されていることが好ましく、このようにすれば、購入した健康維持・増進剤を、その場で服用することができ、別途、飲料水を用意したり、飲料水の供給場所まで商品を持参する必要もなくなる。
更に、この健康維持・増進剤販売機の設置場所としては、生産現場等の工場及び事務所等が挙げられ、設置場所により好適な健康維持・増進剤を販売することができる。
【考案を実施するための最良の形態】
【００１３】
以下、本考案を、例えば、図１〜１１を用いて詳しく説明する。
図１乃至６は各種の健康維持・増進剤収容体である。
図１の健康維持・増進剤収容体１０は、栄養補助食品等の健康維持・増進剤を収納した包装体１５と嵌合型球形の包装体収容容器１３とからなる。この包装体１５の包装容器には、成人１回分の服用量の栄養補助食品等が収納されている。
この包装容器に収納された健康維持・増進剤は１種のみでもよく、異なる栄養素を含有する２種以上が収納されていてもよい。２種以上が収納される場合、２〜５種とすることができるが、通常、２〜３種である。また、２種以上が収納される場合、各々異なる栄養素を含有する健康維持・増進剤は、錠剤、カプセルであれば、それぞれ２〜３個、粉末であれば、それぞれ２〜３包み、収納されることになる。
尚、包装容器には、同種の栄養素が含有される健康維持・増進剤が、錠剤、カプセルであれば２〜３個、粉末であれば２〜３包み収納されていてもよい。
【００１４】
上記のように複数の健康維持・増進剤が収納されておれば、例えば、朝、昼、夜と各々に必要な栄養素を含有する健康維持・増進剤を服用することができる。更に、この包装体収容容器１３には、２乃至３個の包装体１５が収容されていてもよい。
また、包装体収容容器１３は、一方の半割体１１と他方の半割体１２とを、嵌合して包装体１５を収容しているため、開閉が容易である。更に、包装体収容容器１３は球形であるため、図７及び図８に示す簡便な販売機で容易に送出することができる。
【００１５】
図２の健康維持・増進剤収容体２０の包装体収容容器２３は円筒形であり、本体２２と蓋体２１とからなる。この蓋体２１は、どのようにして本体２２に取着してもよく、例えば、蓋体内面の凸部又は溝部と、本体外面の溝部又は凸部とを嵌合させる、或いは蓋体を本体に差し込み、蓋体内面と本体外面とを摺り合わせて固定する等の方法が挙げられる。
更に、この包装体収容容器２３の場合も、包装容器には、異なる栄養素を含有する２種以上の健康維持・増進剤が収納されていてもよく、同種の栄養素が含有される健康維持・増進剤が、錠剤、カプセルであれば２〜３個、粉末であれば２〜３包み収納されていてもよい。その利用形態は上述したとおりである。
尚、包装体収容容器１３及び包装体収容容器２３は、健康維持・増進剤を服用後、小物入れ等として再利用することができる。
【００１６】
図３の健康維持・増進剤収容体３０の包装体収容容器３３は平板形であり、本体３２と蓋体３１とからなる。この蓋体３１は、どのようにして本体３２に取着してもよく、上記の包装体収容容器２０の場合と同様にして取着することができる。
包装容器は、少なくとも１本のミシン目が設けられ、２個以上の容器部に分割可能とすることができ、例えば、この図３のように、２本のミシン目が設けられ、３個の容器部に分割可能とすることができる。分割された各々の容器部には、それぞれ異なる栄養素を含有する健康維持・増進剤を収納することができる。このようにすれば、例えば、前記のように、朝、昼、夜の各々に必要な栄養素を含有する健康維持・増進剤を服用することができる。
この包装体容器３１は、特に、カードケース等として再利用することができる。
この包装体１５の包装容器は、上記のように、３個の容器部が各々の間にミシン目を設けることにより連設されており、包装体１５を包装体収容容器３３から取り出したときに一部が脱落することがなく、且つミシン目であるため、使用に際しては切り離しが容易である。
【００１７】
図４の健康維持・増進剤収容体４０の包装体収容容器４３は、複数の円筒形の容器４２が軸方向に積層され、且つ開口側に蓋体４１が取着されて一体とされたものである。
この包装体収容容器４３であれば、同種又は異種の栄養素が含有される健康維持・増進剤を別々の容器に収納し、１日３回分とすることができるため便利である。また、この包装体収容容器４３は、特に、服用後、空容器を、異なる種類の小物をそれぞれ別々の容器に収納することができる小物入れとして再利用することができる。
【００１８】
更に、各々の包装体収容容器の表面及び/又は内面には、情報を記載することができる。例えば、図５のように、健康維持・増進剤収容体１０に係る包装体収容容器１３の表面１４に、包装容器に収納された健康維持・増進剤に関する情報を記載することができる。この情報は、包装体収容容器１３の内面１６に記載することもできるが、通常、その表面１４に記載される。
【００１９】
また、包装体収容容器には、情報が記載された文書を収納することもできる。例えば、図６のように、包装体収容容器１３に、健康維持・増進剤に関する情報が記載された文書４８を収納することができる。
特に、この文書４８の場合は、収納されている健康維持・増進剤の摂取量の目安としての天然物で摂取した場合との対比（例えば、Ｚｎが柿１００個分含有されている等）、摂取時期（食事とともに又は食後等）を記載することができる。このようにすれば、対面販売で購入するときと同様の情報を得ることができ、安心して健康維持、増進剤を服用することができる。
更に、文書４８には、健康維持・増進に関する最新情報、豆知識等を記載することもできる。これにより、収納されている健康維持・増進剤ばかりでなく、他の健康維持・増進剤も含めて、より幅広く健康維持・増進及び健康維持・増進剤に関する知識を提供することができるとともに、他の健康維持・増進剤の宣伝広告をすることもできる。
【００２０】
本考案における健康維持・増進剤としては、栄養補助食品、健康食品及び医薬部外品等が挙げられ、特に、栄養補助食品を販売の対象とする。また、この健康維持・増進剤の形状は特に限定されず、例えば、錠剤状、カプセル状又は粉末状等とすることができる。これらのうちでは、服用が容易である錠剤状又はカプセル状であることが好ましい。これらの健康維持・増進剤は包装容器に収納されており、この包装容器の材質は特に限定されないが、通常、紙及びプラスチックフィルム等である。この包装容器は、少なくとも１本のミシン目が設けられ、２個以上の容器部に分割可能とされていてもよい。例えば、前記の図３のように、２本のミシン目が設けられ、３個の容器部に分割可能とすることができ、この場合、各々の容器部にそれぞれ異なる栄養素を含有する健康維持・増進剤を収納することができる。
【００２１】
包装容器に収納される健康維持・増進剤に含有される栄養素は特に限定されず、Ｃａ、Ｍｇ、Ｚｎ、Ｆｅ、Ｎａ、Ｋ、Ｃｒ、Ｐ、Ｓｅ、Ｍｏ、Ｍｎ、Ｃｕ及びＩのうちの少なくとも１種のミネラル分、ビタミンＡ、ビタミンＢ群（ビタミンＢ１、ビタミンＢ２、ビタミンＢ６、ビタミン１２）、ビタミンＣ、ビタミンＤ、ビタミンＥ、ビタミンＫ、ビタミンＰ及びビタミンＱ（補酵素Ｑ１０、コエンザイムＱ１０ともいわれる。）のうちの少なくとも１種のビタミン、並びにエイコサペンタエン酸、ドコサヘキサエン酸、乳酸菌、食物繊維、α−リポ酸、コンドロイチン、ヒアルロン酸、グルコサミン酸、プロテイン、コラーゲン、Ｌ−カルミチン等が挙げられる。そして、例えば、朝は、貧血を防いでＦｅ、昼は目の疲れを癒すためビタミンＢ群というように、特に必要とされる特定の栄養素を摂取することができる。
【００２２】
包装容器には、異なる栄養素が含有される健康維持・増進剤が、特定の組み合わせで収納されていることが好ましい。この組み合わせは特に限定されないが、例えば、ビタミンＢ１とビタミンＣとミネラル分であるＺｎ、ビタミンＢ群とビタミンＣとミネラル分であるＺｎ、ビタミンＢ１とエイコサペンタエン酸とドコサヘキサエン酸、ビタミンＢ群とエイコサペンタエン酸とドコサヘキサエン酸、ビタミンＡとビタミンＢ群とビタミンＣ、ビタミンＢ１とビタミンＥ、ビタミンＢ群とビタミンＥ、ビタミンＢ１とビタミンＣとビタミンＥ、ビタミンＢ群とビタミンＣとビタミンＥ、ビタミンＱとヒアルロン酸、又はビタミンＱとヒアルロン酸とコラーゲン、の組み合わせ等が挙げられる。このようにすれば、それぞれの効能を有する複数の健康維持・増進剤を、朝昼夜等の最適な時期に摂取することができ、必要であればこれらを一時に摂取することもできる。
【００２３】
図７乃至図１１は健康維持・増進剤販売機を例示したものである。
図７の健康維持・増進剤販売機５０は、健康維持・増進剤収容体１０が収納された商品収納部５１と、一端側が商品収納部に接続された商品送出口５２と、コイン投入口５３と、規定のコインが投入された場合に操作可能となる操作具５４と、操作具を操作することにより健康維持・増進剤収容体を送出する送出手段とを備えている。
健康維持・増進剤販売機５０によれば、規定のコインの投入と、操作具を操作することにより、健康維持・増進剤収容体１０を送出することができるため、消費者は店舗まで出向くことなく、容易に健康維持・増進剤１０を購入することができる。
【００２４】
この健康維持・増進剤販売機５０は、例えば、工場、事務所等における職場ごとに、それぞれの職場環境等に適した健康維持・増進剤を提供する販売機として設置することができる。具体的には、目を酷使する職場では、ビタミンＢ群の補給を中心とした栄養補助食品等を提供する健康維持・増進剤販売機５０を設置することができる。
尚、この販売機としては、例えば、ガムボールの販売機を、そのまま又は必要な改良を加えて用いることができる。この場合、電気を必要とせず、且つ極めて簡易な構造であるため、保守、点検等、設備にかかる費用も極めて少なくすることができ、販売員が不要であるため人件費を節約することもできる。
【００２５】
図８の健康維持・増進剤販売機６０も、健康維持・増進剤販売機５０と同様、健康維持・増進剤収容体１０が収納された商品収納部６１と、一端側が商品収納部に接続された商品送出口６２と、コイン投入口６３と、規定のコインが投入された場合に操作可能となる操作具６４と、操作具６４を操作することにより健康維持・増進剤収容体１０を送出する送出手段とを備えている。
尚、この販売機としては、例えば、カプセルに収納された玩具、キャラクター人形等の販売機を、そのまま又は必要な改良を加えて用いることができる。この健康維持・増進剤販売機６０の作用、効果は、上記の健康維持・増進剤販売機５０と同様である。
【００２６】
図９の健康維持・増進剤販売機７０は、健康維持・増進剤収容体３０が収納された商品収納部７１と、一端側が商品収納部に接続された商品送出口７２と、コイン投入口７３と、規定のコインが投入された場合に操作可能となる操作具７４と、操作具を操作することにより健康維持・増進剤収容体３０を送出する送出手段と、を備えている。この健康維持・増進剤販売機７０は、平板形の健康維持・増進剤収容体３０の送出を可能としたものである。
尚、この販売機としては、例えば、テレビジョンで放映されるアニメーション番組に登場するキャラクターが印刷されたカードの販売機を、そのまま又は必要な改良を加えて用いることができる。この健康維持・増進剤販売機７０の作用、効果は、健康維持・増進剤販売機５０又は６０と同様である。
【００２７】
図１０の健康維持・増進剤販売機８０は、健康維持・増進剤収容体１０又は健康維持・増進剤収容体３０が収納された商品収納部と、一端側が商品収納部に接続された商品送出口８１と、コイン投入口８２と、規定のコインが投入された場合に操作可能となる操作具８３と、操作具を操作することにより健康維持・増進剤収容体１０を送出する送出手段と、を備えている。この健康維持・増進剤販売機８０は、健康維持・増進剤収容体１０又は健康維持・増進剤収容体３０の送出を可能としたものである。
尚、この販売機としては、例えば、フード／物品販売機、ランドリー用品販売機、煙草販売機、食券等を販売する自動券売機等の各種の自動販売機を、そのまま又は必要な改良を加えて用いることができる。この健康維持・増進剤販売機８０の場合、電気を必要とするが、その他の作用、効果は、健康維持・増進剤販売機５０、６０又は７０と同様である。
【００２８】
本考案の健康維持・増進剤販売機には、飲料水供給手段を別体として配置する、又は一体に併設することができる。例えば、図１１の健康維持・増進剤販売機９０には、飲料水供給機１００が一体に併設されている。この飲料水供給機１００は、紙コップ１０１と飲料水供給部１０２とを備えている。この健康維持・増進剤販売機では、購入した健康維持・増進剤を、紙コップ１０１に注いだ飲料水を利用してその場で服用することができる。そのため、別途、飲料水を用意する必要がなく、飲料水の供給場所まで健康維持・増進剤を持参する必要もなく、この健康維持・増進剤販売機は、特に、生産現場等の工場等において有用である。
【００２９】
また、図１１では、飲料水供給機１００が一体に併設されている態様を示したが、飲料水供給手段は、上水の蛇口に取り付けられた浄水器、ミネラルウォーターを供給するための給水器等の、健康維持・増進剤販売機とは別体として配置されたものでもよい。このように別体として配置された飲料水供給手段は、既存のものを用いることもでき、更に、新設するにしても飲料水供給機を併設する場合に比べてコストを大幅に削減することができ、好ましい。
【００３０】
本考案の健康維持・増進剤販売機を設置する場所は特に限定されず、この設置場所としては、生産現場等の工場、事務所、各種学校、学習塾、パチンコ及びボーリング場等のレジャー施設、市役所、警察署及び自衛隊等の官公庁、公園及び福祉施設等の公共施設、バー、スナック及び居酒屋等の飲食店、鉄道等の駅構内、スイミングクラブ等のスポーツクラブ、観光ホテル及びビジネスホテル等のホテル及び路上等が挙げられる。この健康維持・増進剤販売機は、特に、工場、事務所、各種学校、学習塾、レジャー施設、官公庁及び公共施設に配設することができ、工場、事務所で特に必要とされる。
【図面の簡単な説明】
【００３１】
【図１】健康維持・増進剤が収納された包装容器と、この包装容器が収容された嵌合型球形の包装体収容容器の模式的な斜視図である。
【図２】健康維持・増進剤が収納された包装容器と、この包装容器が収容された、開口側に蓋体が取着された円筒形の包装体収容容器の模式的な斜視図である。
【図３】健康維持・増進剤が収納された包装容器と、この包装容器が収容された、開口側に蓋体が取着された平板形の包装体収容容器の模式的な斜視図である。
【図４】３個の円筒形の容器が軸方向に積層され、且つ開口側に蓋体が取着されて一体とされた包装体収容容器と、各々の容器に収容された、健康維持・増進剤が収納された包装容器の模式的な斜視図である。
【図５】健康維持・増進剤が収納された包装容器と、この包装容器が収容され、且つ表面に情報が記載された嵌合型球形の包装体収容容器の模式的な斜視図である。
【図６】健康維持・増進剤が収納された包装容器と、この包装容器が収容され、且つ情報が記載された文書が収納された嵌合型球形の包装体収容容器の模式的な斜視図である。
【図７】嵌合型球形の包装体収容容器に収容された包装容器に収納された健康維持・増進剤を販売するための販売機の一例を模式的に示す正面図である。
【図８】嵌合型球形の包装体収容容器に収容された包装容器に収納された健康維持・増進剤を販売するための販売機の一例を模式的に示す斜視図である。
【図９】平板形の包装体収容容器に収容された包装容器に収納された健康維持・増進剤を販売するための販売機の一例を模式的に示す斜視図である。
【図１０】嵌合型球形の包装体収容容器に収容された包装容器に収納された健康維持・増進剤を販売するための販売機の一例を模式的に示す斜視図である。
【図１１】嵌合型球形の包装体収容容器に収容された包装容器に収納された健康維持・増進剤を販売するための販売機の一例と、この販売機に併設された飲料水販売機とを模式的に示す斜視図である。
【符号の説明】
【００３２】
１３、２３、３３、４３；包装体収容容器、１５；包装体、１５１；錠剤（健康維持・増進剤）１０、２０、３０、４０；健康維持・増進剤収容体、４８；文書、５１、６１、７１；商品収納部、５２、６２、７２、８１；商品送出口、５３、６３、７３、８２；コイン投入口、５４、６４、７４、８３；操作具、５０、６０、７０、８０、９０；健康維持・増進剤販売機、１００；飲料水供給機、１４；表面、１６；内面。
【図１】
0003113693.tif 000003
【図２】
0003113693.tif 000004
【図３】
0003113693.tif 000005
【図４】
0003113693.tif 000006
【図５】
0003113693.tif 000007
【図６】
0003113693.tif 000008
【図７】
0003113693.tif 000009
【図８】
0003113693.tif 000010
【図９】
0003113693.tif 000011
【図１０】
0003113693.tif 000012
【図１１】
0003113693.tif 000013